(57)【要約】      （修正有）【課題】静電容量膜式タッチパネルと抵抗膜式タッチパネルの両方式を備えたタッチパネルデバイスでは、利用者の利便性を高めるためには２つの方式をより効果的に切り変える必要がある。【解決手段】電子機器２００においてタッチパネルデバイスは、静電容量膜式タッチパネル１０１と抵抗膜式タッチパネル１０２と、両タッチパネルからの入力を制御するコントローラ２０１と、を備える。コントローラは２０１、タッチパネル面に液体が付着していると判断した場合には、静電容量膜式タッチパネル１０１を無効にし、抵抗膜式タッチパネル１０２を有効にする。【選択図】図２
2019003393.tif 000002
【特許請求の範囲】
【請求項１】
静電容量膜式タッチパネルと
抵抗膜式タッチパネルと、
前記両タッチパネルからの入力を制御するコントローラと、を備えた、タッチパネルデバイスであって、
前記コントローラは、タッチパネル面に液体が付着していると判断した場合には、前記静電容量膜式タッチパネルを無効にし、前記抵抗膜式タッチパネルを有効にする、
タッチパネルデバイス。
【発明の詳細な説明】
【技術分野】
【０００１】
本発明は、静電容量方式タッチパネルと抵抗膜式タッチパネルの両方式を備えたタッチパネルデバイスに関する。
【背景技術】
【０００２】
タッチパネルデバイスの検出方式として、一般的に静電容量方式と抵抗膜方式とが知られている。特許文献１にはこれら２つの方式を採用したタッチパネルデバイスが提案されている。
【先行技術文献】
【特許文献】
【０００３】
【特許文献１】特開２０１６−１２６４５５号公報
【発明の概要】
【発明が解決しようとする課題】
【０００４】
本開示は、静電容量方式と抵抗膜方式の双方を備えたタッチパネルデバイスにおいてより利便性の高いタッチパネルデバイスを提供する。
【課題を解決するための手段】
【０００５】
本開示におけるタッチパネルデバイスは、静電容量膜式タッチパネルと抵抗膜式タッチパネルと、両タッチパネルからの入力を制御するコントローラと、を備え、コントローラは、タッチパネル面に液体が付着していると判断した場合には、静電容量膜式タッチパネルを無効にし、前記抵抗膜式タッチパネルを有効にする。
【発明の効果】
【０００６】
本開示におけるタッチパネルデバイスは、静電容量方式と抵抗膜方式の双方を備えたものであって、より利便性の高いものである。
【図面の簡単な説明】
【０００７】
【図１】実施の形態１で例示するタッチパネルデバイスの模式図
【図２】タッチパネルデバイスを備えた電子機器のハードウェア構成図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
図１は実施の形態１で例示するタッチパネルデバイスの模式図である。タッチパネルデバイス１００は、静電容量膜式タッチパネル１０１と抵抗膜式タッチパネル１０２とを備える。なお、本実施の形態では説明を簡略化するために静電容量膜式タッチパネル１０１と抵抗膜式タッチパネル１０２との２つのみを示した図を用いている。しかし、実際のデバイスでは画像を表示するために必要なバックライト、液晶フィルム、変更フィルム等の他の構成要素を備えるものであっても良い。
【００１１】
静電容量膜式タッチパネル１０１は、利用者の指等が接触したり、近傍に近づくとその部分の静電容量が変化することを検出することで、どの画面(タッチパネル１０１)上のどの部分を選択されたかを特定することができる。
【００１２】
抵抗膜式タッチパネル１０２は、抵抗膜式タッチパネル１０２を構成する２つの電極フィルムを有する。利用者が抵抗膜式タッチパネル１０２に指等を接触させると、接触した部分で２つの電極フィルムが接触することで電気的特性が変化する。抵抗膜式タッチパネル１０２はこの電気的特性に基づいて、画面（タッチパネル１０２）上のどの部分が選択させたかを特定することができる。
【００１３】
図１で例示するタッチパネルデバイス１００は、静電容量膜式タッチパネル１０１が抵抗膜式タッチパネル１０２より利用者側に配置されている。しかし、本出願で説明する発明はこれに限定するものではない。抵抗膜式タッチパネル１０２が静電容量膜式タッチパネル１０１よりも利用者側に配置されるものであってもよい。
【００１４】
図２は、タッチパネルデバイスを備えた電子機器のハードウェア構成図である。
【００１５】
電子機器２００は、図１で説明したタッチパネルデバイス１００を備えた機器である。電子機器２００は、さらにコントローラ２０１と、ＣＰＵ２０２と、を備える。なお、電子機器２００の具体的な例としては、タッチパネルデバイスを備えたラップトップコンピュータ、組込み機器などがある。
【００１６】
コントローラ２０１は、静電容量膜式タッチパネル１０１からの入力信号と抵抗膜式タッチパネル１０２からの入力信号を受ける。コントローラ２０１はこれら両パネルからの入力に基づいて、利用者からの入力を最終的に特定し、その結果をＣＰＵ２０２へ出力する。
【００１７】
ＣＰＵ２０２は、コントローラ２０１から入力される信号に基づいてＣＰＵ２０２上で動作するアプリケーションソフトウェアの動作を制御する。
【００１８】
静電容量膜式タッチパネル１０１と抵抗膜式タッチパネル１０２との両方式を備えたタッチパネルデバイス１００の一つの課題として、どちらからの入力を有効とするか、あるいは両入力から最終的にどの出力を生成するかという課題がある。
【００１９】
電子機器２００の電源投入直後、あるいは電子機器２００をリセットして再起動等した場合の状況について検討する。
【００２０】
電子機器２００が電源投入された後、あるいはリセットされた後では、コントローラ２０１は静電容量膜式タッチパネル１０１を有効にし、抵抗膜式タッチパネル１０２を無効にする方法がある。
【００２１】
静電容量膜式タッチパネル１０１は今日スマートフォン等の機器においても用いられており多くの利用者がこの方式に慣れていると考えられる。そのため、電源投入直後又は再起動直後等の初期設定時に、コントローラ２０１が静電容量膜式タッチパネル１０１側を有効にし、抵抗膜式タッチパネル１０２を無効にすることは、利用者の観点からはより一般的であると考えられる。
【００２２】
なお、本出願の説明において、「静電容量膜式タッチパネル１０１からを有効にする」とは、静電容量膜式タッチパネル１０１からの入力を受け付ける期間だけ静電容量膜式タッチパネル１０１への電力を供給してコントローラ２０１が静電容量膜式タッチパネル１０１から入力を受け付けるケース、あるいは静電容量膜式タッチパネル１０１へ常時電力を供給しておいてコントローラ２０１が静電容量膜式タッチパネル１０１からの入力信号を利用するケース、のいずれの方法であってもよい。
【００２３】
反対に「無効にする」とは、静電容量膜式タッチパネル１０１又は抵抗膜式タッチパネル１０２への電力供給を停止する、あるいはそれらからの入力信号を利用しない、のいずれの方法であってもよい。
【００２４】
また、別の方法として静電容量膜式タッチパネル１０１と抵抗膜式タッチパネル１０２との両方を有効にしておいてもよい。この場合、両方式を有効にしておき利用者がいずれの方式を用いるかを選択することで一方の方式を特定するものである。
【００２５】
この方法であれば、利用者がそれぞれの状況に応じて好適な入力方法を選択することが可能となる。
【００２６】
また、他の方法として静電容量膜式タッチパネル１０１と抵抗膜式タッチパネル１０２との両方を有効にして起動する。利用者からの入力があると、コントローラ２０１は一方の方式に優先度を高めて入力を制御する方法がある。例えば、静電容量膜式タッチパネル１０１からの入力を主として、抵抗膜式タッチパネル１０２を従として制御する方法である。
【００２７】
この方法であれば、利用者が指で入力を行う場合、静電容量膜式タッチパネル１０１が入力を検出できない利用者手が手袋をして入力を行う場合、等より利用者が様々な状況に対して電子機器２００は入力を受け付けることができる。
【００２８】
また、他の方法として電子機器２００（コントローラ２０１）は、静電容量膜式タッチパネル１０１と抵抗膜式タッチパネル１０２との両方式からの入力からそれぞれのノイズの大きさを検出し、そのノイズの大きさに基づいて一方を有効、他方を無効にするものであってもよい。
【００２９】
この方法であれば、それぞれの使用状況に応じて電子機器２００はより好適な入力方式を自動的に選択することが可能となる。
【００３０】
また、別の方法として利用者の意図で明確に選択できるように、電子機器２００が静電容量膜式タッチパネル１０１と抵抗膜式タッチパネル１０２との入力を選択できるボタン等の入力スイッチ（図示せず）を設けるものであっても良い。
【００３１】
また、別の方法として電子機器２００の用途として静電容量膜式タッチパネル１０１では誤動作等が生じやすいと想定等される場合には、電子機器２００（コントローラ２０１）は抵抗膜式タッチパネル１０２を最初に有効にするものであってもよい。
【００３２】
次に、すでに電子機器２００が動作している場合において、入力方式の切り替えが必要な場合について検討する。
【００３３】
電子機器２００がカメラ等（図示せず）のセンサを設けている場合、コントローラ２０１はカメラ等で撮影した利用者の状況や電子機器２００の周囲環境を画像として取得する。コントローラ２０１は取得した画像に基づいて、それぞれの状況に応じた好適な入力方式を選択する。
【００３４】
例えば、カメラが撮影した画像において、利用者が手袋を着けていることをコントローラ２０１が判断すれば、コントローラ２０１は静電容量膜式タッチパネル１０１を無効にし抵抗膜式タッチパネル１０２を有効にする。手袋をつけている場合、静電容量膜式タッチパネル１０１ではその入力を検出できないケースがあるからである。
【００３５】
反対に利用者が手袋等をつけていなと判断する場合、コントローラ２０１は静電容量膜式タッチパネル１０１を有効にし抵抗膜式タッチパネル１０２を無効にする。
【００３６】
また別の事例としてパネル表示面に水滴が付着していることが画像から判断できる場合、コントローラ２０１は静電容量膜式タッチパネル１０１を無効にし抵抗膜式タッチパネル１０２を有効にする。水滴が付着していると静電容量膜式タッチパネル１０１ではその水滴を入力として誤動作する可能性があるためである。
【００３７】
なお、上記の例ではセンサとしてカメラを用いた場合を例として説明したが本出願で説明する発明はこれに限定されるものではない。センサとして他のデバイスを利用するものであってもよい。
【００３８】
別の方法には以下のような方法がある。静電容量膜式タッチパネル１０１と抵抗膜式タッチパネル１０２との両方を有効にしておき、利用者の指が静電容量膜式タッチパネル１０１に近づくと静電容量膜式タッチパネル１０１の静電容量がわずかに変化する。
【００３９】
コントローラ２０１は利用者の指が静電容量膜式タッチパネル１０１に接触する前にこの変化を検出することで、静電容量膜式タッチパネル１０１が利用されることを予測する。コントローラ２０１は上記の予測をすると、その時点で抵抗膜式タッチパネル１０２を無効にする。
【００４０】
これにより、電子機器２００はより正確に静電容量膜式タッチパネル１０１と抵抗膜式タッチパネル１０２との切り換えを実現することができる。
【００４１】
なお、ここでは利用者の指を例として説明したが同様のことが、例えば導電性の入力ペンや、Ａｃｔｉｖｅ  Ｓｔｙｌｕｓペンのような電気的に能動的なペンでも同様に適応することができる。また、利用者が手袋をしていても、薄手の手袋であったりした場合にも同様に本内容を適応することができる。
【００４２】
また別の方法として以下の方法がある。静電容量膜式タッチパネル１０１と抵抗膜式タッチパネル１０２との両方を有効にしておき、非導電性のペン等で入力操作が行われると、静電容量膜式タッチパネル１０１ではその入力を検出することができない。一方の抵抗膜式タッチパネル１０２では入力を検出できる。
【００４３】
コントローラ２０１は、このような場合抵抗膜式タッチパネル１０２を有効にするとともに、静電容量膜式タッチパネル１０１を無効にする。これにより、電子機器２００はより正確に静電容量膜式タッチパネル１０１と抵抗膜式タッチパネル１０２との切り換えを実現することができる。
【００４４】
なお、ここでの説明では非導電性のペンを例として説明したが同様のことが、例えば厚手の手袋やゴム手袋を利用した場合も同様に適応することができる。
【００４５】
入力方法によってそれが静電容量膜式タッチパネル１０１を利用できるものか、あるいは利用できないために抵抗膜式タッチパネル１０２を利用するかは、それぞれ方法によって異なる。静電容量膜式タッチパネル１０１が静電容量の変化を正確に検出できれば、静電容量膜式タッチパネル１０１による入力を実現することが可能である。
【００４６】
コントローラ２０１は、この静電容量変化検出の閾値を利用者からの要求や、アプリケーション等により動的に調整できるものであってもよい。
次にタッチパネルデバイス１００上に水分が付着している場合の動作について説明する。
【００４７】
タッチパネルデバイス１００（静電容量膜式タッチパネル１０１）上に水等の液体が付着すると、液体等が付着した部分では静電容量が変化し、その変化を静電容量膜式タッチパネル１０１が検出する。そのため、静電容量膜式タッチパネル１０１が誤作動を生じる恐れがある。
【００４８】
そこで、本実施の形態ではコントローラ２０１が静電容量膜式タッチパネル１０１から入力される信号にもとづいてその入力が液体等が付着したものか、利用者の指等によるものかを判別する。コントローラ２０１は液体等が付着していると判断すると、静電容量膜式タッチパネル１０１を無効にし、抵抗膜式タッチパネル１０２を有効にする。
【００４９】
これにより、タッチパネルデバイス１００に液体等が付着した場合でも、好適に静電容量膜式タッチパネル１０１と抵抗膜式タッチパネル１０２とを切り換えることが可能となる。
【００５０】
なお、液体等が付着しているか否かを判断する方法としては、たとえばパネル面全体の内、所定量の割合以上(例えば、ＸＸ％以上)で静電容量が実質的に同時に変化している場合、あるいは、所定数以上の異なる箇所で静電容量が変化している場合、など利用者の通常の入力とは異なる状態での入力とみなされるような場合に、液体等が付着しているとコントローラ２０１は判断することができる。
【００５１】
なお、液体等の付着の判断は、上記の例示した内容に限定するものはなく他の方法を利用するものであってもよい。
【００５２】
また、パネル面の端の部分であるベゼル部分(図示せず)に液体等が付着しているような場合、ベゼルと静電容量膜式タッチパネル１０１との隙間で形成される部分に液体が毛細管現象と同等に入り込む性質がある。このような場合、電子機器２００はタッチパネルデバイス１００の有効範囲をベゼルから所定距離だけ離間して有効範囲を設定することで、静電容量膜式タッチパネル１０１を有効にすることが可能である。
【００５３】
また、別の方法として液体等が付着した部分のみでの入力を抵抗膜式タッチパネル１０２とし、液体等が付着していない部分を静電容量膜式タッチパネル１０１と、することも可能である。
【００５４】
なお、上記に説明した静電容量膜式タッチパネル１０１と抵抗膜式タッチパネル１０２との有効／無効を一度決定した場合には、一連の入力操作が継続する場合、あるいは一定時間以上はその決定を保持することが好ましい。高頻度で切り替えが発生すると、利用者がその使用感を煩わしく感じる可能性がある。
【００５５】
また、電子機器２００は静電容量膜式タッチパネル１０１と抵抗膜式タッチパネル１０２とのどちらが選択されているかを示すインジケータ等をもうけることが好ましい。これにより、利用者は、抵抗膜式タッチパネル１０２が有効になっている場合にはより強くタッパネルへの入力を行い、静電容量膜式タッチパネル１０１が有効になっている場合には軽い入力で実現することが可能となる。
【００５６】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００５７】
そこで、以下、他の実施の形態を例示する。
【産業上の利用可能性】
【００５８】
本出願で説明した内容は、静電容量膜式タッチパネルと抵抗膜式タッチパネルとを備えた電子機器は例えば、ラップトップコンピュータや、スマートフォン、タブレット、その他タッチパネルを入力デバイス備える機器で利用可能である。
【符号の説明】
【００５９】
１００  タッチパネルデバイス
１０１  静電容量膜式タッチパネル
１０２  抵抗膜式タッチパネル
２００  電子機器
２０１  コントローラ
２０２  ＣＰＵ
【図１】
2019003393.tif 000003
【図２】
2019003393.tif 000004